(57)【特許請求の範囲】
【請求項１】
目的波長を含む波長範囲内で取得したスペクトルの時間変化に基づいてクロマトグラムを作成するクロマトグラフ用データ処理装置であって、
a) 保持時間毎の前記スペクトルのデータを記憶するデータ記憶手段と、
b) 前記データ記憶手段から取得したデータに基づいて、前記目的波長におけるクロマトグラムである補正前クロマトグラムを作成して表示する補正前クロマトグラム表示手段と、
c) 前記補正前クロマトグラムのピーク内の、ピークトップの保持時間とは異なる任意の指定時間をユーザに指定させる時間指定手段と、
d) 前記データ記憶手段から取得したデータに基づいて、前記補正前クロマトグラムのピークトップの保持時間におけるスペクトルであるピークトップスペクトルと、前記指定時間におけるスペクトルである指定時間スペクトルを表示するスペクトル表示手段と、
e) 前記波長範囲内のうち前記目的波長とは異なる指定波長をユーザに指定させる波長指定手段と、
f) 前記目的波長における前記指定時間スペクトルの強度を前記指定波長における該指定時間スペクトルの強度で除した感度係数を、該指定波長におけるクロマトグラムに乗算した補正後クロマトグラムを表示すると共に、前記指定時間及び前記指定波長のいずれか一方又は両方が変更されたときに、変更後の指定時間及び指定波長に対応した補正後クロマトグラムに表示を変更する補正後クロマトグラム表示手段と
を備えることを特徴とするクロマトグラフ用データ処理装置。
【請求項２】
前記時間指定手段が、前記補正前クロマトグラム表示手段において表示される画像上の位置を指定することにより前記指定時間を指定するものであることを特徴とする請求項１に記載のクロマトグラフ用データ処理装置。
【請求項３】
前記波長指定手段が、前記スペクトル表示手段において表示される画像上の位置を指定することにより前記指定波長を指定するものであることを特徴とする請求項１又は２に記載のクロマトグラフ用データ処理装置。
【請求項４】
目的波長を含む波長範囲内で取得したスペクトルの時間変化に基づいてクロマトグラムを作成する方法であって、
保持時間毎の前記スペクトルのデータに基づいて、前記目的波長におけるクロマトグラムである補正前クロマトグラムを作成し、
前記補正前クロマトグラムのピーク内の、ピークトップの保持時間とは異なる任意の指定時間を指定し、
前記波長範囲内のうち前記目的波長とは異なる指定波長を指定し、
前記指定時間におけるスペクトルである指定時間スペクトルの前記目的波長における強度を、該指定時間スペクトルの前記指定波長における強度で除した感度係数を、該指定波長におけるクロマトグラムに乗算した補正後クロマトグラムを作成すると共に、前記指定時間及び前記指定波長のいずれか一方又は両方が変更されたときに、変更後の指定時間及び指定波長に対応した補正後クロマトグラムを作成する
ことを特徴とするクロマトグラフ用データ処理方法。
【発明の詳細な説明】
【技術分野】
【０００１】
本発明は、液体クロマトグラフ、ガスクロマトグラフなどのクロマトグラフ装置用のデータ処理装置及びデータ処理方法に関する。
【背景技術】
【０００２】
クロマトグラフ装置では、試料を分析することによって横軸に時間、縦軸に信号強度（出力電圧など）をとったクロマトグラムを表すデータ（以下、クロマトグラムデータという）を取得する。クロマトグラフ用データ処理装置では、このようなクロマトグラムに出現しているピークを検出し、予め設定された同定テーブルを参照してピーク位置（保持時間）からそのピークに対応する物質を同定し、さらにピークの高さや面積からその物質の濃度や量を算出する。【０００３】
こうしたデータ処理装置では、一般に、A/D変換器を含む信号処理回路のハードウエア上での制約から処理可能な信号の大きさに限界があり、上限以上又は下限以下の大きさの信号が入力されても正確な演算処理を実行することができない。【０００４】
また、こうした信号処理上での限界とは別に、クロマトグラフ装置の検出器には、その信号のレベルによって検出結果の信頼度が相違するという問題がある。例えば液体クロマトグラフの検出器として使用される紫外可視分光光度計、フォトダイオードアレイ検出器などでは、試料中の成分濃度が低すぎると検出信号におけるノイズの影響により、定量精度が悪化し、その反対に成分濃度が高すぎると検出信号の非直線性が顕著になって、やはり定量精度が悪化してしまう。そのため、従来のクロマトグラフ装置における分析は、試料中の成分濃度が所定の範囲（ダイナミックレンジ）内となるように、試料を適宜希釈して行っていた。
【先行技術文献】
【非特許文献】
【０００５】
【非特許文献１】第十六改正日本薬局方,[online],2011年3月24日,厚生労働省,[2013年6月21日検索],インターネット<URL: http://jpdb.nihs.go.jp/jp16/>
【発明の概要】
【発明が解決しようとする課題】
【０００６】
試料中に複数の分析目的成分が存在する場合において、それら複数の分析目的成分の濃度が大きく異ならない場合には、全目的成分がダイナミックレンジに収まるように試料の濃度や検出器の感度などを設定すればよい。しかし、目的成分の濃度差が大きい場合、それらについてどのような設定を行っても、最小濃度の成分（不純物）を正しく検出しようとすると最大濃度の成分（主成分）の信号が歪み又は飽和してしまい、最大濃度の成分（主成分）を正しく検出しようとすると最小濃度の成分（不純物）がノイズに埋もれてしまい、いずれも正しい分析を行うことができない。【０００７】
例えば、第十六改正日本薬局方（非特許文献１）の「アセチルシステイン  純度試験（6）類縁物質」（pp. 311-312）では、測定波長を220nmとした紫外吸光光度計を用いた液体クロマトグラフで試験を行ったとき、アセチルシステインのピークの面積と比較して、アセチルシステイン以外のピークの面積がピーク1つあたり0.3%以下、合計で0.6%以下となることが記載されている。このような大きな濃度差がある場合、濃度の低いアセチルシステイン以外の成分のピークの面積を正確に求めるために試料全体の濃度を高く（希釈率を小さく）すると、アセチルシステインの信号の歪み又は飽和が生じてしまう。
そのため、従来は、(i)濃度が異なる複数の試料を用意してそれぞれ分析を行い、得られた結果に希釈率の補正を行うことで各目的成分の濃度（又はそれらの濃度比）を求めたり、あるいは、(ii)光路長の異なるセルを２台の検出器に設置し、光路長補正を行うことで、１回の分析で各目的成分の濃度（又はそれらの濃度比）を求めていた。しかし、(i)の方法は測定に要する時間が長くなるため非効率であり、(ii)の方法は検出器を増設する必要がありコストがかかるという欠点がある。【０００８】
本発明の課題は、1回の分析で且つ1台の検出器を用いて、検出信号のノイズ及び非直線性の影響を受けることなくデータ処理を行うことができるクロマトグラフ用データ処理装置及びデータ処理方法を提供することである。
【課題を解決するための手段】
【０００９】
上記課題を解決するために成された本発明に係るクロマトグラフ用データ処理装置は、目的波長を含む波長範囲内で取得したスペクトルの時間変化に基づいてクロマトグラムを作成するクロマトグラフ用データ処理装置であって、
a) 保持時間毎の前記スペクトルのデータを記憶するデータ記憶手段と、
b) 前記データ記憶手段から取得したデータに基づいて、前記目的波長におけるクロマトグラムである補正前クロマトグラムを作成して表示する補正前クロマトグラム表示手段と、
c) 前記補正前クロマトグラムのピーク内の、ピークトップの保持時間とは異なる任意の指定時間をユーザに指定させる時間指定手段と、
d) 前記データ記憶手段から取得したデータに基づいて、前記補正前クロマトグラムのピークトップの保持時間におけるスペクトルであるピークトップスペクトルと、前記指定時間におけるスペクトルである指定時間スペクトルを表示するスペクトル表示手段と、
e) 前記波長範囲内のうち前記目的波長とは異なる指定波長をユーザに指定させる波長指定手段と、
f) 前記目的波長における前記指定時間スペクトルの強度を前記指定波長における該指定時間スペクトルの強度で除した感度係数を、該指定波長におけるクロマトグラムに乗算した補正後クロマトグラムを表示すると共に、前記指定時間及び前記指定波長のいずれか一方又は両方が変更されたときに、変更後の指定時間及び指定波長に対応した補正後クロマトグラムに表示を変更する補正後クロマトグラム表示手段と
を備えることを特徴とする。【００１０】
ある成分のスペクトルは成分固有の形状を有するため、その成分によるクロマトグラムのピーク内の保持時間では、その成分のスペクトルは、歪みや飽和が生じなければ、形状は同じであって強度のみが相違するという相似性を有する。このスペクトル形状の相似性により、１つのスペクトルピークに属する各波長においてクロマトグラムを作成すると、クロマトグラムの強度は、当該波長におけるスペクトルの強度に比例することとなる。そこで、本発明に係るクロマトグラフ用データ処理装置では、目的波長における指定時間スペクトルの強度を、指定波長における指定時間スペクトルの強度で除した感度係数、すなわち目的波長と指定波長における指定時間スペクトルの強度比を、該指定波長におけるクロマトグラムに乗算する操作を行う。このようなスペクトルの強度比は、上記の相似性により、目的波長におけるクロマトグラム（すなわち補正前クロマトグラム）と指定波長におけるクロマトグラムの強度比と一致するため、補正後クロマトグラムの強度は、目的波長における本来の（歪みや飽和のない）クロマトグラムの強度と一致する。そのため、たとえ、クロマトグラムのピークトップ付近の保持時間においてスペクトルに歪み又は飽和が生じ、それにより補正前クロマトグラムのピークに歪み又は飽和が生じた場合であっても、そのような飽和が生じていない指定波長及び指定時間をユーザが指定することにより、目的波長におけるクロマトグラムと同じ強度で、歪みや飽和を補正したクロマトグラムを得ることができる。【００１１】
このように歪みや飽和を補正したクロマトグラムを得ることができるため、濃度の高い主成分と濃度の低い不純物等が混合した試料を測定する場合には、不純物等を解析可能なように試料全体の濃度を高く（希釈率を小さく）しておけばよい。すなわち、このように試料全体の濃度を高くすることで、主成分に対応するクロマトグラムに歪みや飽和が生じたとしても、上記のように補正を行うことができるため、1回の分析で且つ1台の検出器を用いて、主成分と不純物等の双方に対して、検出信号のノイズ（歪み）及び非直線性（飽和）の影響を受けることなくデータ処理を行うことができる。【００１２】
また、本発明に係るクロマトグラフ用データ処理装置では、ユーザが指定時間や指定波長を変更すると、それに応じて補正後クロマトグラムの表示が変更される。そのため、ユーザは、指定時間や指定波長を変更しながら補正後クロマトグラムがどのように変化してゆくかを視覚的に理解することができ、補正後クロマトグラムの歪みや飽和が生じない範囲内で補正後クロマトグラムの強度ができるだけ大きくなるよう、適切に調整することができる。【００１３】
時間指定手段における指定時間の指定は、キーボードで数値を入力することによって行ってもよいし、補正前クロマトグラム表示手段で表示された画像内の位置をマウスなどで指定することで行ってもよい。後者の場合、指定された位置に対応するクロマトグラムの時間軸（横軸）の値が指定時間となる。あるいは、クロマトグラムの強度をキーボードで数値入力したり、補正前クロマトグラム表示手段においてマウスなどで指定することにより、その強度に対応する保持時間を指定時間として設定するようにしてもよい。この場合、指定されたクロマトグラムの強度に対応する保持時間は、クロマトグラムのピークトップの両側に存在する場合があるため、その場合にピークトップの保持時間の前後のいずれの時間を指定時間にするか、予め定めておくとよい。同様に、波長指定手段における指定波長の指定にも、キーボードによる数値入力、スペクトル表示手段で表示された画像上の位置による指定（該位置に対応する横軸の値が指定波長となる）、あるいはスペクトルの強度の指定（キーボード、マウスなど）などの手法を用いることができる。【００１４】
本発明に係るクロマトグラフ用データ処理方法は、目的波長を含む波長範囲内で取得したスペクトルの時間変化に基づいてクロマトグラムを作成する方法であって、
保持時間毎の前記スペクトルのデータに基づいて、前記目的波長におけるクロマトグラムである補正前クロマトグラムを作成し、
前記補正前クロマトグラムのピーク内の、ピークトップの保持時間とは異なる任意の指定時間を指定し、
前記波長範囲内のうち前記目的波長とは異なる指定波長を指定し、
前記指定時間におけるスペクトルである指定時間スペクトルの前記目的波長における強度を、該指定時間スペクトルの前記指定波長における強度で除した感度係数を、該指定波長におけるクロマトグラムに乗算した補正後クロマトグラムを作成すると共に、前記指定時間及び前記指定波長のいずれか一方又は両方が変更されたときに、変更後の指定時間及び指定波長に対応した補正後クロマトグラムを作成する
ことを特徴とする。
【発明の効果】
【００１５】
本発明によれば、検出信号のノイズ及び非直線性の影響を受けることなく、1回の分析で且つ1台の検出器を用いて、クロマトグラフを用いた分析のデータ処理を行うことができる。
【図面の簡単な説明】
【００１６】
【図１】本発明に係るクロマトグラフ用データ処理装置を含む分析システムの概略構成図。
【図２】本実施例のクロマトグラフ用データ処理装置のディスプレイに表示されるメイン画面の一例を示す図。
【図３】本実施例のクロマトグラフ用データ処理装置のディスプレイに表示されるデータ処理用画面の一例を示す図。
【図４】本実施例のクロマトグラフ用データ処理装置の使用中におけるデータ処理用画面の変化を示す図。
【図５】本実施例のクロマトグラフ用データ処理装置の動作を示すフローチャート。
【発明を実施するための形態】
【００１７】
以下、本発明に係るクロマトグラフ用データ処理装置及び方法の実施例を、図１〜図５を用いて説明する。なお、以下では液体クロマトグラフ（ＬＣ）の場合を例に説明するが、ガスクロマトグラフの場合でも同様である。
【実施例】
【００１８】
本実施例のクロマトグラフ用データ処理装置は、図１に示した分析システム１０の一部を構成する。分析システム１０は、液体試料中の含有成分を時間的に分離するＬＣ１１と、分離された各成分を所定の波長帯内で分析する検出器１２と、検出器１２から出力されるデータを処理するデータ処理装置（本実施例の装置）１３とを備える。データ処理装置１３は、ＣＰＵ（中央演算装置）、記憶装置（メモリ、ハードディスク、ソリッドステートドライブ等）、ディスプレイ、入力装置（キーボード、マウス等）等を有する一般的なコンピュータ（ハードウエア）と、このコンピュータにインストールされた専用のデータ処理ソフトウエアから構成される。データ処理装置１３は、データ記憶部１３１、補正前クロマトグラム表示部１３２、時間指定部１３３、スペクトル表示部１３４、波長指定部１３５、及び補正後クロマトグラム表示部１３６としての機能を有する。【００１９】
データ処理装置１３のディスプレイは、図２に示すメイン画面２０と、図３に示すデータ処理用画面３０のいずれかを表示する。なお、ディスプレイの画面が十分に大きい場合には、これら２つの画面を同時に表示してもよい。メイン画面２０には、横軸に時間、縦軸に検出器１２で検出した光の波長を取ったグラフ上において検出器１２の信号強度を等高線で示す等高線ビュー２１、特定の時間におけるスペクトルを示すスペクトルビュー２２、特定の波長におけるスペクトルから作成されたクロマトグラムを示すクロマトグラムビュー２３等が表示されている。これらのうちクロマトグラムビュー２３では、横軸用スライドバー２３１を移動させることにより、横軸、すなわち時間軸の表示範囲を（時間の幅はそのままで）変更することができる。また、拡大鏡の絵の中心に「＋」又は「−」の文字が記載された2個のアイコン２３２をクリックすることにより、クロマトグラムを拡大又は縮小（それに伴って、時間軸方向に表示される時間の幅も拡大又は縮小）することができる。また、メイン画面２０において所定のアイコンをクリックするか、プルダウンメニューの「ウインドウ(W)」中から所定の項目を選択する等の所定の操作を行うことにより、データ処理用画面３０に切り替わる。【００２０】
データ処理用画面３０は、補正前クロマトグラム表示画面３１と、スペクトル表示画面３２と、補正後クロマトグラム表示画面３３と、設定パラメータ・計算結果表示画面３４の４つの小画面に分割されている。【００２１】
補正前クロマトグラム表示画面３１には、クロマトグラムビュー２３に表示されていたクロマトグラム（補正前クロマトグラム３１１）が、クロマトグラムビュー２３で指定された横軸の範囲（時間範囲）で、縦軸方向には補正前クロマトグラム３１１が収まるように表示される。図２に示した例では、補正前クロマトグラム３１１のピークトップは飽和している。また、補正前クロマトグラム表示画面３１には、横軸方向に延びる指定時間対応クロマトグラム強度設定補助線３１３と、縦軸方向に延びる指定時間設定補助線３１４が表示される。これら２本の補助線は、マウスでドラッグして、指定時間対応クロマトグラム強度設定補助線３１３は上下方向に、指定時間設定補助線３１４は左右方向に、それぞれ移動させることができる。また、これら２本の補助線の一方を移動させると、当該一方の補助線と補正前クロマトグラム３１１の交点を通過する位置に、他方の補助線が連動して移動するようになっている。なお、ここでは２本の補助線を有する例を示したが、これら２本のうちのいずれか一方のみを表示させてもよいし、後述の設定パラメータ・計算結果表示画面３４における指定時間の数値入力が可能である場合には、これら補助線を設けなくてもよい。【００２２】
スペクトル表示画面３２には、補正前クロマトグラム３１１のピークトップの時間におけるスペクトルであるピークトップスペクトル３２１と、後述の指定時間におけるスペクトルである指定時間スペクトル３２２が表示される。また、スペクトル表示画面３２には、横軸方向に延びる指定波長対応スペクトル強度設定補助線３２３と、縦軸方向に延びる指定波長設定補助線３２４が表示される。これら２本の補助線も、補正前クロマトグラム表示画面３１に表示される２本の補助線と同様に、マウスでドラッグして移動させることができ、両補助線が連動して移動する。これら２本の補助線の一方のみを表示させてもよいこと、及び、設定パラメータ・計算結果表示画面３４において指定波長の入力が可能である場合にはこれら補助線を設けなくてもよいことも同様である。【００２３】
補正後クロマトグラム表示画面３３には、後述のように得られる、指定波長（補正波長）におけるクロマトグラム３３１及び補正後クロマトグラム３３２が表示される。【００２４】
設定パラメータ・計算結果表示画面３４には、後述の各種設定事項をユーザが数値入力又はボタンで選択するための表、及びクロマトグラムの補正に用いた計算結果の数値を示す表が表示される。【００２５】
これらの表のうち、補正波長設定方法欄３４１には、指定波長（補正波長）の設定方法を「手動」と「自動」から選択するボタンが表示される。ここで、「手動」とは、指定波長をキーボードから補正波長（手動）欄３４２に入力することをいい、「自動」とは、指定波長対応スペクトル強度設定補助線３２３及び／又は指定波長設定補助線３２４を移動させる、これら２本の補助線とピークトップスペクトル３２１の交点から指定波長を自動的に求めることをいう。補正波長（自動）強度欄３４３には、上記交点から求められる指定波長が表示される。補正波長（自動）移動方向欄３４４には、指定波長設定補助線３２４とピークトップスペクトル３２１の交点がスペクトルのピークトップの両側に存在する場合に、いずれの交点を補正波長として設定するかを「＋」（長波長側の交点）又は「−」（短波長側の交点）で選択するボタンが表示される。感度補正スペクトル抽出強度欄３４５は、指定時間スペクトル（感度補正スペクトル）３２２を抽出する時間、すなわち指定時間に対応するクロマトグラム強度（指定時間対応クロマトグラム強度設定補助線３１３の縦軸の値に対応）を手動で入力する欄である。なお、ここで例示した設定パラメータ・計算結果表示画面３４には、指定時間を直接入力する欄は設けられていないが、もちろん、そのような入力欄を設けてもよい。バックグラウンド補正欄３４６には、補正前クロマトグラム３１１及び補正後クロマトグラム３３２において、バックグラウンドの補正を行うか否かを入力するボタンが表示される。【００２６】
計算結果の表３４７には、感度係数、補正後クロマトグラム３３２のピーク面積やピーク強度等の計算結果が表示される。さらに、設定パラメータ・計算結果表示画面３４には、ユーザがデータ処理を終了させる際にクリックするための確認ボタン３４９が表示される。【００２７】
本実施例のクロマトグラフ用データ処理装置の動作（本発明に係るクロマトグラフ用データ処理方法の実施例）を、図３及び図４のデータ処理用画面の図、並びに図５のフローチャートを用いて説明する。【００２８】
まず、ユーザがメイン画面２０において上記所定の操作を行うことにより、メイン画面２０からデータ処理用画面３０に切り替えられる（ステップＳ１）。続いて、補正前クロマトグラム表示部１３２は、データ記憶部１３１から取得したデータに基づいて、目的成分の補正前クロマトグラム３１１を作成して表示する（ステップＳ２）。また、波長指定部１３５は、指定波長を指定する際にユーザが参照するピークトップスペクトル３２１を作成し、スペクトル表示画面３２に表示する（ステップＳ３）。ここまでに表示された補正前クロマトグラム３１１及びピークトップスペクトル３２１は、ユーザによって確認ボタン３４９が押下されるまで変更されることはない。ここで、確認ボタン３４９が押下されていればメイン画面２０に戻って本発明に対応する処理を終了し、押下されていなければ次のステップに進む（ステップＳ４）。【００２９】
続いて、操作者による指定時間及び／又は指定波長の入力・変更があるまで待機し、それらの入力・変更があれば次のステップに進む（ステップＳ５）。指定時間の入力は、上述のように、補正前クロマトグラム表示画面３１において指定時間対応クロマトグラム強度設定補助線３１３及び／又は指定時間設定補助線３１４を移動させることにより行う（図４(a)）か、感度補正スペクトル抽出強度欄３４５に数値を入力することにより行う。図４(a)に示した例では、指定時間対応クロマトグラム強度設定補助線３１３を下方に、又は指定時間設定補助線３１４を右方に移動させることにより、指定時間がTsからTs'に変更される。指定波長の入力も同様に、スペクトル表示画面３２において指定波長対応スペクトル強度設定補助線３２３及び／又は指定波長設定補助線３２４を移動させることにより行う（図４(b)）か、又は補正波長（手動）欄３４２若しくは補正波長（自動）強度欄３４３に数値を入力することにより行う。図４(b)に示した例では、指定波長がλsからλs'に変更される。【００３０】
指定時間及び／又は指定波長が入力・変更されると、スペクトル表示部１３４は、新たな指定時間における指定時間スペクトル３２２を作成し、ピークトップスペクトル３２１と共にスペクトル表示画面３２に表示する（ステップＳ６）。図４(b)に示した例では、指定時間の変更に伴い、指定時間スペクトル３２２が破線で示したものから実線で示したものに修正され、強度が全体的に小さくなっている。【００３１】
次に、補正後クロマトグラム表示部１３６は、以下の処理を行う。まず、指定時間スペクトルのピークトップの波長である目的波長λtにおける指定時間スペクトル３２２の強度Iaと、修正後の指定波長λs'における指定時間スペクトル３２２の強度Ibを求め（ステップＳ７。図４(c)参照。）、続いて、感度係数K=Ia/Ibを算出する（ステップＳ８）。そして、指定波長λs'におけるクロマトグラム３３１を作成して補正後クロマトグラム表示画面３３に表示する（ステップＳ９）と共に、指定波長λs'におけるクロマトグラム３３１に感度係数Kを乗じたものを補正後クロマトグラム３３２として補正後クロマトグラム表示画面３３に表示する（ステップＳ１０。図４(d)参照。）。こうして得られた補正後クロマトグラム３３２は、補正前クロマトグラム３１１とは異なり、ピークトップの飽和が見られない。【００３２】
ここまでの処理の後、ステップＳ４に戻り、確認ボタン３４９が押されるまで、ステップＳ４〜Ｓ１０の処理を繰り返す。【００３３】
なお、上記実施例は本発明の一例に過ぎず、本発明の趣旨に沿って適宜変更可能であることは言うまでもない。
【符号の説明】
【００３４】
１０…分析システム
１１…ＬＣ
１２…検出器
１３…データ処理装置
１３１…データ記憶部
１３２…補正前クロマトグラム表示部
１３３…時間指定部
１３４…スペクトル表示部
１３５…波長指定部
１３６…補正後クロマトグラム表示部
２０…メイン画面
２１…等高線ビュー
２２…スペクトルビュー
２３…クロマトグラムビュー
２３１…横軸用スライドバー
２３２…アイコン
３０…データ処理用画面
３１…補正前クロマトグラム表示画面
３１１…補正前クロマトグラム
３１３…指定時間対応クロマトグラム強度設定補助線
３１４…指定時間設定補助線
３２…スペクトル表示画面
３２１…ピークトップスペクトル
３２２…指定時間スペクトル
３２３…指定波長対応スペクトル強度設定補助線
３２４…指定波長設定補助線
３３…補正後クロマトグラム表示画面
３３１…クロマトグラム
３３２…補正後クロマトグラム
３４…設定パラメータ・計算結果表示画面
３４１…補正波長設定方法欄
３４２…補正波長（手動）欄
３４３…補正波長（自動）強度欄
３４４…補正波長（自動）移動方向欄
３４５…感度補正スペクトル抽出強度欄
３４６…バックグラウンド補正欄
３４７…計算結果の表
３４９…確認ボタン
【図１】
0005954497.tif 000002
【図２】
0005954497.tif 000003
【図３】
0005954497.tif 000004
【図４】
0005954497.tif 000005
【図５】
0005954497.tif 000006